【事件の表示】
　平成　１年特許願第１３８９４６号「画像形成システム及び画像処理方法」拒絶査定に対する審判事件［平成　３年　１月１０日出願公開、特開平　３−　　４６７２］について、次のとおり審決する。
【結　論】
　本件審判の請求は、成り立たない。
【理　由】
１．手続の経緯・本願発明
　本願は、平成１年５月３１日の出願であって、その請求項１に係る発明は、平成１１年３月２９日、及び、平成１２年８月２８日付けの手続補正書により補正された明細書及び図面の記載からみて、本願の特許請求の範囲の請求項１に記載されたとおりの次のものと認める。
「【請求項１】　複数の画像を格納可能な外部記録媒体から再生され取り込まれた再生画像をプリントするための画像形成システムであって、
　前記外部記憶媒体から再生された再生画像を取り込む取り込み手段と、
　前記再生画像と、前記取り込み手段とは別の入力装置から入力される入力画像とを合成するか否かを使用者に選択させる選択画面を提供する提供手段、
　前記選択画面において、前記再生画像と前記入力画像とを合成するとの使用者の選択がなされた後に、再生して取り込むべき画像を指定し、前記入力装置で入力される前記入力画像上での合成位置の指定方法を使用者にガイダンスするガイダンス手段と、
　前記ガイダンス手段によるガイダンスに基づいて、前記使用者にによって指示された取り込むべき画像を取り込み、前記合成位置の指定に従って、前記入力装置によって入力された入力画像と、前記再生画像とを合成して像形成させる制御手段とを有することを特徴とする画像形成システム。」
　
２．引用例 
（１）引用例１
　これに対して、原審の拒絶理由に引用文献２として引用された、特開昭６１−１５２８０号公報（以下「引用例１」という。）には、次の事項が記載されている。
（ア）「大容量画像メモリである光ディスクメモリ３は、前記ＣＰＵ１の管理の下で各種の文書画像データを格納するものである。尚、この光ディスクメモリ３への画像データの書込と読出しは、そのコントローラ３ａを介して行われる。
　しかして、スキャナ４やファクシミリ５を介して入力される文書画像データ、或いは前記光ディスクメモリ３から読出された文書画像データは、ページメモリ装置６に一旦格納された後、前記ＣＰＵ１の制御の下で所定の処理に供せられる。またこのページメモリ装置６に格納された画像データは、前記ＣＰＵ１の制御の下で前記ファクシミリ５を介して他のシステムに転送されたり、或いはディスプレイ７にて表示されたり、更にはプリンタ８を介してプリント出力されたり、また前記光ディスクメモリ３に格納されたりする。」（引用例１の３頁上右欄８行〜同頁下左欄４行）
（イ）「前記ディスプレイ７は、後述するように処理対象とする画像データを表示する共に、画像処理動作を選択指示する為の各種コマンド情報を表示している。これらのディスプレイ７に表示された各種コマンド情報をライトペン等の指示入力装置９を介して選択指示することによって、その選択指示されたコマンド情報がコントローラ９ａを介して前記ＣＰＵ１に入力されるようになっている。」（引用例１の３頁下左欄９〜１６行）
（ウ）「例えば、ページメモリ６ａは画像編集対象とする文書画像データの格納用、ページメモリ６ｂは上記ページメモリ６ａに格納された画像編集対象とする文書画像データ中から切抜かれた部分画像のデータの格納用、そしてページメモリ６ｃは上記ページメモリ６ｂに格納された部分画像が貼付けられる台紙となる白色画像、または所定の文書画像の格納用として用いられる。」（引用例１の３頁下右欄３〜１１行）
（エ）「その１つは画像検索処理で、編集処理対象とする画像データが含まれる文書画像が指示入力されたとき、この文書画像を前記光ディスクメモリ３から選択的に読出したり、或いは前記スキャナ４または前記ファクシミリ５を介して入力して前記ページメモリ装置６の前述したページメモリ６ａに格納し、このページメモリ６ａに格納された文書画像を前記ディスプレイ７に表示する処理からなる。
　また部分画像の切抜き処理は、前記ページメモリ６ａに格納され、且つディスプレイ７に表示された処理対象とする文書画像中の、切貼り編集すべき任意の画像領域を指定指示し、その領域の画像データを部分画像として切抜いて前記ページメモリ６ｂに格納すると共に、この部分画像を前記ディスプレイ７に表示する処理からなる。この部分画像のページメモリ６ｂへの格納、およびディスプレイ７への表示は、その部分画像を画像合成処理における作業対象部品として管理した上で行われ、部分画像の数や表示領域の大きさ等によって適宜拡大・縮小変換されて表示される。そして、このような部品として取扱われる部品画像を格納する前記ページメモリ６ｂは、上記画像合成編集処理における所謂作業箱として用いられることになる。
　また部分画像の貼付け処理は、上述したようにページメモリ６ｂに格納された部分画像を前記ページメモリ６ｃに準備された台紙画像上の指定指示されたレイアウト位置に貼付ける処理からなる。この場合、前記ページメモリ６ｂに格納され、且つディスプレイ７に表示された部分画像が複数あるとには、それらの部分画像中のどの部分画像を台紙画像に貼付けるかを選択指定される。この選択指定は、例えば前記指示入力装置９を用いて、前記ディスプレイ７に表示された複数の文書画像中の１つを選択指示することによって行われる。そして、この選択指示された部分画像と台紙画像上の貼付け指示されたレイアウト位置の大きさとを照合して、上記部分画像を適宜縮小・拡大変換して前記ページメモリ６ｃの指示位置に格納することより、その処理が実行される。
　その他の基本処理は、編集合成処理された画像を前記プリンタ８を介してプリント出力したり、或いは上記画像を前記光ディスクメモリ装置３に登録する処理等からなる。」（引用例１の３頁下右欄１７行〜４頁上右欄１９行）
と記載されているから、これらの記載より引用例１には次のことが記載されている。
「編集処理対象とする画像データが含まれる文書画像が指示入力されたとき、この文書画像を前記光ディスクメモリ３から選択的に読出したり、或いは前記スキャナ４または前記ファクシミリ５を介して入力して前記ページメモリ装置６の前述したページメモリ６ａに格納し、このページメモリ６ａに格納された文書画像を前記ディスプレイ７に表示する。
　部分画像の切抜き処理は、前記ページメモリ６ａに格納され、且つディスプレイ７に表示された処理対象とする文書画像中の、切貼り編集すべき任意の画像領域を指定指示し、その領域の画像データを部分画像として切抜いて前記ページメモリ６ｂに格納すると共に、この部分画像を前記ディスプレイ７に表示する。
　また部分画像の貼付け処理は、上述したようにページメモリ６ｂに格納された部分画像を前記ページメモリ６ｃに準備された台紙画像（白色画像、または所定の文書画像）上の指定指示されたレイアウト位置に貼付ける。
　この場合、前記ページメモリ６ｂに格納され、且つディスプレイ７に表示された部分画像が複数あるは、それらの部分画像中のどの部分画像を台紙画像上に貼付けるかを選択指定される。
　この選択指定は、例えば前記指示入力装置９を用いて、前記ディスプレイ７に表示された複数の文書画像中の１つを選択指示することによって行われる。
　そして、この選択指示された部分画像と台紙画像上の貼付け指示されたレイアウト位置の大きさとを照合して、上記部分画像を適宜縮小・拡大変換して前記ページメモリ６ｃの指示位置に格納することより、その処理が実行される。
　編集合成処理された画像を前記プリンタ８を介してプリント出力したり、或いは上記画像を前記光ディスクメモリ装置３に登録する。」
　
３．対比
　そこで、本願請求項１に係る発明と引用例１の発明とを比較すると、
　引用例１の光ディスクメモリも、内部と外部の定義が明確ではないが、一応、外部記憶媒体であると認められ、
　引用例１の、ページメモリ６ａに格納される画像編集対象とする文書画像データも、ページメモリ６ｂに格納される部分画像のデータも、記憶装置から再生された再生画像と認められ、
　引用例１では、光ディスクメモリ３から読出された文書画像データは、ページメモリ装置６に一旦格納された後、ＣＰＵ１の制御の下で所定の処理に供せられ、またこのページメモリ装置６に格納された画像データは、ＣＰＵ１の制御の下でファクシミリ５を介して他のシステムに転送されたり、或いはディスプレイ７にて表示されたり、更にはプリンタ８を介してプリント出力されたりするから、再生画像を取り込む取り込み手段が存在するものと認められ、
　引用例１のページメモリ６ｃに格納された台紙となる所定の文書画像は、下記の相違点を除けば、本願請求項１に係る発明の「入力画像」に相当し、貼付も、合成の一種であると認められ、
　引用例１において、部分画像の貼付は、貼り付けるか貼り付けないかの判断は使用者が行っているから、結局、使用者が合成するか否かの選択を行っているものと認められ、
　引用例１において、必要な部分画像を台紙上の何処に貼り付けるかは使用者が決めているから、取り込むべき画像を指定し、合成位置の指定を行っていると認められ、
　引用例１の「文書画像編集装置」は、本願請求項１に係る発明の「画像形成システム」に相当するから、
両者は、
「複数の画像を格納可能な記憶装置から再生され取り込まれた再生画像をプリントするための画像形成システムであって、
　前記記憶装置から再生された再生画像を取り込む取り込み手段と、
　前記再生画像と、入力画像とを合成するか否かを使用者に選択させ、
　再生して取り込むべき画像を指定し、前記入力画像上での合成位置を指定し、
　前記入力画像と、前記再生画像とを合成して像形成させる制御手段とを有することを特徴とする画像形成システム。」
点で一致し、下記の点において相違する。
　
（相違点１）
　本願請求項１に係る発明は、再生画像と、取り込み手段とは別の入力装置から入力される入力画像とを合成するのに対して、引用例１では、切り抜かれた部分画像が、ページメモリ６ｃに格納された台紙となる所定の文書画像に貼り付けられ、そのページメモリに格納されている文書画像はどのように入力されたか不明である点。
（相違点２）
　本件請求項１に係る発明には、合成するか否かを使用者に選択させる選択画面を提供する提供手段が設けられているのに対して、引用例１には提供手段については明記されていない点。
（相違点３）
　再生して取り込むべき画像を指定し、前記入力画像上での合成位置の指定するのが、本願請求項１に係る発明では、選択画面において、再生画像と前記入力画像とを合成するとの使用者の選択がなされた後に、再生して取り込むべき画像を指定し、入力装置で入力される入力画像上での合成位置の指定方法を使用者にガイダンスするガイダンス手段により行われるのに対して、引用例１には、ガイダンス手段については記載されていない点。
（相違点４）
　本願請求項１に係る発明は、ガイダンス手段に基づいて、使用者によって指示された取り込むべき画像を取り込み、合成位置の指定に従って、入力装置によって入力された入力画像と、再生画像とを合成して像形成させるのに対して、引用例１では、部分画像データを台紙となる所定の文書画像に貼り付けている点。
　
４．当審の判断
 上記相違点について検討すると、
（相違点１）について、
　一般的に、複数の画像を格納可能な記録媒体から画像の再生を行う再生装置に接続され画像処理を行う装置は周知のものであり、また、画像を取り込むときに、再生装置から、再生された複数の画像を取り込む取り込み手段を設けることは当業者が必要に応じて適宜おこなえることであり、引用例１にでは、ページメモリへの入力画像データは、光ディスクメモリ３から読み出された画像データ、或いはスキャナ４やファクシミリ５を介して入力される画像データであるから、ページメモリ６ｃに格納される台紙となる所定の文書画像を、取り込み手段とは別の入力装置から入力される入力画像とすることは、当業者が容易に考えられることと認められる。
（相違点２）について、
　一般的に、選択画面を表示して、使用者に選択させることは通常に行われていることであるから、引用例１においても、どのように行うかは記載されていないが、貼り付け処理を行う場合に使用者が選択することにより貼り付け処理が始められるのであるから、これを使用者に選択させる選択画面を提供する提供手段を設けて行うようにすることは当業者が容易に考えられることと認められる。
（相違点３）について、
　画面に表示されたガイダンスに基づいて、一連の処理作業を行うことは周知慣用のことであるから（例えば、特開昭６２−２９５１７８号公報、特開平１−１３２２６８号公報、特開昭６２−２５５９７２号公報等を参照。）、引用例１においても、ガイダンス手段を設けて、そのガイダンスに基づいて貼り付け処理を行うようにすることは当業者が容易に推考することができることである。
（相違点４）について、
　上記のように、使用者にガイダンするガイダンス手段を設けるのが容易であり、引用例１においても、ガイダンス手段に基づいて、使用者によって指示された取り込むべき画像を取り込み、合成位置の指定に従って、入力装置によって入力された入力画像と、再生画像とを合成して像形成するようにすることは、当業者が容易に推考することができることと認められる。
　
５．むすび
　したがって、本願発明は引用例１に記載された発明に基づいて当業者が容易に発明をすることができたものであるので、特許法第２９条第２項の規定により特許を受けることができない。
　よって、結論のとおり審決する。